(57)【特許請求の範囲】
【請求項１】
湯水を貯湯する貯湯タンクと、前記貯湯タンク内の湯水を加熱する加熱部と、操作部と表示部とを備えたリモコンと、前記リモコンの表示部の点灯消灯を制御する表示制御手段と、時刻をカウントする時計カウンタと、前記貯湯タンク内の貯湯量を検知する貯湯量検知手段と、前記貯湯量検知手段により前記貯湯タンク内の貯湯量が少ないことが検知されると前記加熱部に沸き増し動作をさせる沸き増し制御手段とを備えた貯湯式給湯装置において、前記沸き増し制御手段が前記加熱部に沸き増し動作をさせると、前記表示制御手段からの前記表示部の点灯消灯の状態と前記時計カウンタからの時刻とから沸き増しを行っている旨の表示を前記表示部に表示させるか否かを判断する表示可否判断手段を設けたことを特徴とする貯湯式温水器。
【請求項２】
前記表示可否判断手段は、前記表示部が消灯状態で、かつ、特定の時間帯に沸き増し動作がある場合は、前記表示部の消灯状態を継続させるようにしたことを特徴とする請求項１記載の貯湯式温水器。
【請求項３】
前記表示可否判断手段は、前記表示部が消灯状態にある場合で、かつ、特定の時間帯以外に沸き増し動作があると、前記表示部を点灯状態として沸き増し動作を行っている旨の表示を行うと共に、沸き増し動作の完了に伴い前記表示部を消灯状態に戻すようにしたことを特徴とする請求項１記載の貯湯式温水器。
【請求項４】
前記表示可否判断手段は、前記表示部が点灯状態にある場合に沸き増し動作があると、前記時計カウンタのカウントする時刻に関わらず前記表示部に沸き増し動作を行っている旨の表示を行い、沸き増し動作の完了に伴い前記表示部を通常の表示状態に戻すようにし、また、前記表示部が消灯状態にある場合で、かつ、特定の時間帯以外に沸き増し動作があると、前記表示部を点灯状態として沸き増し動作を行っている旨の表示を行うと共に、沸き増し動作の完了に伴い前記表示部を消灯状態に戻すようにし、さらに、前記表示部が消灯状態で、かつ、特定の時間帯に沸き増し動作がある場合は、前記表示部の消灯状態を継続させるようにしたことを特徴とする請求項１記載の貯湯式温水器。
【請求項５】
前記沸き増し動作を行っている旨の表示を行う前に、貯湯量が少なくなっている旨を文字表示するようにしたことを特徴とする請求項１〜４記載の貯湯式温水器。
【請求項６】
前記リモコンの操作部には、前記表示部の点灯消灯状態を切換え操作する表示スイッチが設けられていることを特徴とする請求項１〜５のいずれかに記載の貯湯式温水器。
【請求項７】
前記特定の時間帯を前記リモコンの操作部によって変更可能としたことを特徴とする請求項２〜６のいずれかに記載の貯湯式温水器。
【発明の詳細な説明】
【０００１】
【発明の属する技術分野】
本発明はリモコンを備えた貯湯式温水器に関する。
【０００２】
【従来の技術】
従来より、この種の貯湯式温水器においては、電気温水器やヒートポンプ式温水器に表示部を有したリモコンを備え、時間帯別電灯契約等により電力が安価な時間帯に貯湯タンクの湯水を加熱する沸き増しを行うもので、このような貯湯式温水器は２４時間常に制御状態にあるため、リモコンの表示部も常に点灯している状況であったが、省エネのため表示部を消灯させるようにしたものがあった。（例えば特開２０００−２２０８８６号）
【０００３】
【発明が解決しようとする課題】
しかしながら、このような従来のものでは、貯湯タンク内の貯湯量が減少してしまってもリモコンの表示部が消灯状態である場合にはそれを知ることができず、給湯使用中に湯切れを起こしてしまうことがあった。
【０００４】
そこで、消灯中に貯湯量が減少して沸き増し動作を行う場合は、表示を点灯させて沸き増し動作を行っている旨を表示するようにすればよいが、主に深夜時間帯に沸き増しが行われることが多く、人がリモコンの表示部を見ない時間帯に表示を行っていても電力の無駄遣いとなる課題があった。
【０００５】
【課題を解決するための手段】
そこで、本発明は上記課題を解決するため、請求項１では、湯水を貯湯する貯湯タンクと、前記貯湯タンク内の湯水を加熱する加熱部と、操作部と表示部とを備えたリモコンと、前記リモコンの表示部の点灯消灯を制御する表示制御手段と、時刻をカウントする時計カウンタと、前記貯湯タンク内の貯湯量を検知する貯湯量検知手段と、前記貯湯量検知手段により前記貯湯タンク内の貯湯量が少ないことが検知されると前記加熱部に沸き増し動作をさせる沸き増し制御手段とを備えた貯湯式給湯装置において、前記沸き増し制御手段が前記加熱部に沸き増し動作をさせると、前記表示制御手段からの前記表示部の点灯消灯の状態と前記時計カウンタからの時刻とから沸き増しを行っている旨の表示を前記表示部に表示させるか否かを判断する表示可否判断手段を設けたものとした。
【０００６】
これにより、点灯消灯の状態と沸き増し動作が行われる時の時間帯に応じて適切な表示を行うことができ、使用者の使い勝手を損なうことなく無駄な表示を行わないようにすることができる。
【０００７】
また、請求項２では、前記表示可否判断手段は、前記表示部が消灯状態で、かつ、特定の時間帯に沸き増し動作がある場合は、前記表示部の消灯状態を継続させるようにしたものとした。
【０００８】
これにより、使用者が表示を必要としていない表示部が消灯状態にある場合には、深夜等の特定の時間帯には沸き増し動作があってもその旨表示しないので、無駄な表示が行われない。
【０００９】
また、請求項３では、前記表示可否判断手段は、前記表示部が消灯状態にある場合で、かつ、特定の時間帯以外に沸き増し動作があると、前記表示部を点灯状態として沸き増し動作を行っている旨の表示を行うと共に、沸き増し動作の完了に伴い前記表示部を消灯状態に戻すようにしたものとした。
【００１０】
これにより、表示が消灯状態にあっても特定の時間帯以外では沸き増し行っている旨を表示するので、表示中は沸き増し動作によって貯湯式温水器が作動していることが直ぐにわかると共に、沸き増し動作の完了によって自動的に表示部を消灯状態に戻すので無駄な電力消費を抑えることができる。
【００１１】
また、請求項４では、前記表示可否判断手段は、前記表示部が点灯状態にある場合に沸き増し動作があると、前記時計カウンタのカウントする時刻に関わらず前記表示部に沸き増し動作を行っている旨の表示を行い、沸き増し動作の完了に伴い前記表示部を通常の表示状態に戻すようにし、また、前記表示部が消灯状態にある場合で、かつ、特定の時間帯以外に沸き増し動作があると、前記表示部を点灯状態として沸き増し動作を行っている旨の表示を行うと共に、沸き増し動作の完了に伴い前記表示部を消灯状態に戻すようにし、さらに、前記表示部が消灯状態で、かつ、特定の時間帯に沸き増し動作がある場合は、前記表示部の消灯状態を継続させるようにしたものとした。
【００１２】
これにより、使用者が表示を必要としている可能性のある表示部が点灯状態にある場合には、時間帯に関係なく沸き増し動作が開始されると沸き増しを行っている旨を表示し、沸き増し動作の完了に伴い通常の表示状態に戻し、また、表示が消灯状態にあっても特定の時間帯以外では沸き増し行っている旨を表示するので、表示中は沸き増し動作によって貯湯式温水器が作動していることが直ぐにわかると共に、沸き増し動作の完了によって自動的に表示部を消灯状態に戻すので無駄な電力消費を抑えることができ、さらに、使用者が表示を必要としていない表示部が消灯状態にある場合には、深夜等の特定の時間帯には沸き増し動作があってもその旨表示しないので、使い勝手を損なうことなく無駄な表示を行わない。
【００１３】
また、請求項５では、前記沸き増し動作を行っている旨の表示を行う前に、貯湯量が少なくなっている旨を文字表示するようにしたものとした。
【００１４】
これにより、貯湯量が減少して沸き増し動作を行う前に貯湯量が少なくなっている旨を文字表示するようにしたので、消灯状態から突然表示が点灯しても使用者は沸き増し動作を行うために表示が点灯したと直ぐに認識することができる。
【００１５】
また、請求項６では、前記リモコンの操作部には、前記表示部の点灯消灯状態を切換え操作する表示スイッチが設けられているものとした。
【００１６】
これにより、使用者が表示を必要としていない場合は自らの操作によって確実に表示を消灯することができると共に、表示消灯中であっても特定の時間帯以外は沸き増し動作を行うとその旨表示ができ、使い勝手を損なうことなく省エネルギー化を図ることができる。
【００１７】
また、請求項７では、前記特定の時間帯を前記リモコンの操作部によって変更可能としたものとした。
【００１８】
これにより、特定の時間帯を容易に変更可能としたので、使用者の生活パターンに合致した表示制御を行うことができる。
【００１９】
【発明の実施の形態】
次に、本発明の一実施形態の貯湯式温水器を図面に基づき説明する。
１は加熱部としてのヒートポンプユニット、２は貯湯タンク３を有した貯湯タンクユニット、４は台所等に設置された給湯栓、５は前記給湯栓４の近傍に設けられたリモコンである。
【００２０】
前記ヒートポンプユニット１は、圧縮機、冷媒−水熱交換器としての凝縮器、減圧器、蒸発器（共に図示せず）が順次接続されてヒートポンプ回路を構成しており、これらを制御するヒーポン制御部６を有している。そして、ヒーポン循環ポンプ７を駆動して凝縮器に湯水を循環させることで、貯湯タンク３内に高温の湯を貯留するものである。
【００２１】
８は貯湯タンク３とヒートポンプユニット２を循環可能に接続するヒーポン循環回路で、貯湯タンク３の下部に接続されたヒーポン往き管８ａ及び貯湯タンク３上部に接続されたヒーポン戻り管８ｂより構成され、貯湯タンク３下部の冷水をヒーポン往き管８ａを介してヒートポンプユニット２で加熱し、加熱された高温の温水をヒーポン戻り管８ｂを介して貯湯タンク３上部に戻して貯湯タンク３内に上から湯を貯湯していくものである。
【００２２】
９は貯湯タンク３の外周面に縦に所定間隔をあけて複数個設けられた貯湯温度センサで、上から９ａ、９ｂ、９ｃ、９ｄと呼ぶこととする。１０は貯湯タンク３に水を供給する給水管、１１は貯湯タンク３内の温水を出湯する出湯管、１２は給水管１０からの冷水と出湯管１１からの温水を設定温度になるように混合する混合弁、１３は混合された設定温度の温水を給湯する給湯管である。
【００２３】
１４は前記混合弁１２の下流に設けた給湯温度センサ、１５は給湯量をカウントする給湯流量センサである。なお、１６は水道圧を所定の圧力に減圧する減圧弁、１７は加熱されることによる過圧を逃す圧力逃し弁である。これらによって給湯回路１８を構成しているものである。
【００２４】
１９は風呂循環回路で、貯湯タンク３内に設けられた間接熱交換器としての蛇管２０と浴槽（図示せず）とを風呂往き管１９ａ及び風呂戻り管１９ｂとで循環可能に接続するものである。２１は風呂循環回路１９に設けられた風呂循環ポンプ、２２は流水の有無を検出する流水センサ、２３は風呂循環回路１９を流れる浴槽水の温度を検出する風呂温度センサ、２４は浴槽水の水圧から浴槽内の水位を検出する水位センサである。
【００２５】
２５は給湯管１３途中から分岐されて風呂循環回路１９に接続され浴槽への湯張りを行うための湯張り管、２６はこの湯張り管２５に設けられ浴槽への湯張りの開始、停止を行う湯張り弁、２７は浴槽への湯張り量をカウントする風呂流量センサである。なお、２８は湯張り管２５と水位センサ２４との間に設けられる二方弁で、湯張り時に一旦開弁して風呂戻り管１９ｂの湯張り管２５の接続位置から浴槽までの配管のエアパージを行った後、閉弁して水位センサ２４で正確な水位を監視しながら湯張りを行えるようにするものである。
【００２６】
前記リモコン５は、貯湯タンク３内の残り貯湯量や給湯設定温度等の貯湯式温水器の状態を表示するドットマトリクス方式の蛍光表示管より構成された表示部５ａと、給湯設定温度を設定する給湯温度設定スイッチ５ｂや風呂設定温度を設定する風呂温度設定スイッチ５ｃや自動風呂運転を開始させる風呂自動スイッチ５ｄや表示部５ａの点灯消灯を切換える表示スイッチ５ｅとを有した操作部５ｆを備えているものである。
【００２７】
２９はこの貯湯式温水器全体の制御を行うマイクロコンピュータを主に構成された本体制御部で、前記給湯温度センサ１４や給湯流量センサ１５等のセンサ類の入力を受け、前記混合弁１２や風呂循環ポンプ２１等のアクチュエータの駆動制御を行うと共に、前記リモコン５およびヒーポン制御部６と通信可能に設けられているものである。
【００２８】
３０は前記本体制御部２９の一機能として設けられ前記貯湯温度センサ９ａ〜ｄの検出値により貯湯量を検知する貯湯量検知手段で、この貯湯温度センサ９ａ〜ｄのうち上から何個目までが所定温度以上を検出しているかにより残りの貯湯量を検知するものである。例えば、貯湯タンク３の容量が２００Ｌあって約４０Ｌ間隔で４つの貯湯温度センサ９ａ〜ｄが設けられているとすると、一番下の貯湯温度センサ９ｄが約８０℃以上を検知していれば貯湯タンク３内はほぼ満量の貯湯量（貯湯タンク内は湯水で満たされているため蓄熱量と言い換えることができる）であり、一番上の貯湯温度センサ９ａのみが約８０℃以上を検知し、他の貯湯温度センサ９ｂ〜ｄが約５０℃以下を検知している状態であれば、残りの貯湯量は約４０Ｌであることが検知できる。
【００２９】
３１は前記本体制御部２９の一機能として設けられ時刻をカウントする時計カウンタである。
【００３０】
３２は前記本体制御部２９の一機能として設けられ貯湯タンク３内の湯水の沸き増しを制御する沸き増し制御手段で、前記時計カウンタ３１のカウントする時間をみて深夜電力あるいは時間帯別契約電力による夜間の時間帯に、ヒーポン制御部６へ加熱開始の指示を送って加熱を開始し、前日までの一週間に使用した湯量を用いた学習演算により翌日に必要と思われる量から前記貯湯量検知手段９によって検知された貯湯タンク３内の残り貯湯量を減算した量だけ沸き増しを行うものである。また、昼間の内にその日の夜間に必要と思われる量以下に貯湯量が減ると、時間制限あるいは回数制限を設けて高価な昼間電力を無制限に使わないようにして強制的に沸き増しを行うようにしているものである。
【００３１】
３３は前記本体制御部２９の一機能として設けられ、前記リモコン５の表示部５ａの点灯と消灯を切換え制御する表示制御手段で、リモコン５の表示スイッチ５ｅの入力により表示部５ａの点灯と消灯を相互に切換えるものであり、この表示スイッチ５ｅが操作されることで表示部５ａを消灯にするようにしたので、使用者の消灯する意志を持った操作によって表示が消灯されることとなる。逆に点灯する場合は、表示部５ａが消灯状態にあるときに給湯流量センサ１５が所定流量以上を検出すると表示部５ａを点灯状態に復帰させ、また、表示部５ａが消灯状態にあるときに操作部５ｆのいずれかのスイッチが操作されることで表示部５ａを点灯状態に復帰させるものである。
【００３２】
３４は前記本体制御部２９の一機能として設けられ、前記沸き増し制御手段３１が前記ヒートポンプユニット１に沸き増し動作をさせると、前記表示制御手段３３からの前記表示部５ａの点灯消灯の状態と前記時計カウンタ３２からの時刻とから沸き増しを行っている旨の表示（例えば、表示部５ａに描かれた貯湯タンク絵の隣の矢印を表示点滅させる）を前記表示部５ａに表示させるか否かを判断する表示可否判断手段である。
【００３３】
そして、給湯栓４を開くと貯湯タンク３にかかる給水圧により下部の給水管１０から冷水が貯湯タンク３内に流れ込んで高温の湯と冷水の境界層を上に押し上げると共に上部の高温の湯が出湯管１１に流出し、流出した高温の湯が混合弁１２にて給水管１０の冷水と給湯設定温度に混合されて給湯栓４から給湯されるものである。
【００３４】
また、風呂自動スイッチ５ｃを操作すると湯張り弁２６が開かれ、貯湯タンク３にかかる給水圧により下部の給水管１０から冷水が貯湯タンク３内に流れ込んで高温の湯と冷水の境界層を上に押し上げると共に上部の高温の湯が出湯管１１に流出し、流出した高温の湯が混合弁１２にて給水管１０の冷水と混合弁１２にて風呂設定温度に混合されて風呂循環回路１９を介して浴槽に湯張りされる。そして、風呂循環回路１９に設けられた水位センサ２４により設定水位までの湯張りを確認すると、湯張り弁２６を閉じて湯張りを完了する。そして、一定時間毎に風呂循環ポンプ２１を駆動しながら風呂温度センサ２３により浴槽内の湯温を検出し、風呂設定温度以下に低下していれば風呂循環ポンプ２１の駆動を継続し、貯湯タンク３内の蛇管２０によって循環する浴槽水を風呂設定温度まで加熱するもので、この風呂保温動作を所定時間（例えば４時間）繰り返すものである。
【００３５】
そして、深夜電力あるいは時間帯別契約電力の安価な時間になると、沸き増し制御手段３２によりヒーポン制御部６に沸き増し指令を出し、ヒーポン制御部６がヒートポンプユニット１を駆動すると共にヒーポン循環ポンプ７を駆動して貯湯量検知手段３０が翌日の使用湯量分を検知するまで沸き増しがされるが、貯湯量検知手段３０により貯湯量が少なく沸き増ししないと湯切れを起こすことが推測されると、沸き増し制御手段３２は昼間電力により強制的に沸き増しを行うようにしている。
【００３６】
次に、本発明の特徴的部分の作動を図２に示したフローチャートに基づいて説明する。
【００３７】
まず、貯湯量検知手段３０により貯湯量が少ないことが検知されると（ステップ１、以下Ｓ１）、表示可否判断手段３４は表示制御手段３３に表示状態が点灯、消灯どちらの状態であるかを確認する（Ｓ２）。
【００３８】
そして、表示スイッチ５ｅが操作されてあって表示部５ａが消灯状態である場合は（Ｓ２でＹ）、前記表示可否判断手段３４が時計カウンタ３１がカウントする現在の時刻が深夜時間帯であるかどうかを確認する（Ｓ３）。深夜時間帯でなかった場合は、表示部５ａを点灯し（Ｓ４）、表示部５ａに「貯湯量  小」の文字表示を所定時間（ここでは５秒間）行う（Ｓ５、Ｓ６）。
【００３９】
次に、沸き増し制御手段３１がヒーポン制御部６に沸き増しの開始を指示し（Ｓ７）、表示部５ａに文字、記号、またはアニメーション等により沸き増しを行っている旨を表示して（Ｓ８）、使用者に現在沸き増しを行っている旨をわかりやすく知らしめるようにしているものである。
【００４０】
そして、貯湯量検知手段３０が必要な量を沸き増ししたことを検知すると、沸き増し制御手段３１はヒーポン制御部６に沸き増しの停止を指示して沸き増し動作を完了し（Ｓ９でＹ）、表示可否判断手段３４が表示制御手段３３に指示し表示部５ａの表示を消灯して（Ｓ１０）、前記Ｓ１に戻るものである。
【００４１】
このように、表示部５ａが消灯状態であった時に沸き増し要求があった場合は、沸き増し動作中は沸き増しを行っている旨を表示するので、使用者が表示部５ａを見た時に何が原因で貯湯式温水器が作動しているのかが直ぐにわかると共に、沸き増し動作の完了すると表示部５ａを元の消灯状態に戻すので、沸き増し動作開始まで消灯状態であったのに使用者の意図と関係なく表示部５ａが勝手に点灯状態を継続して電力の無駄使いをしてしまうことがなく、省エネルギー化を図ることができるものである。
【００４２】
また、貯湯量が少なくなった時に表示スイッチ５ｅが操作されてあって表示部５ａが消灯状態であり、かつ、深夜時間帯であった場合には（Ｓ１でＹ→Ｓ２でＹ→Ｓ３でＮ）、表示可否判断手段３４は表示部５ａの消灯状態を継続させたままで沸き増し制御手段３１がヒーポン制御部６に沸き増しの開始を指示し（Ｓ１１）、貯湯量検知手段３０が必要な量を沸き増ししたことを検知すると、沸き増し制御手段３１はヒーポン制御部６に沸き増しの停止を指示して沸き増し動作を完了し（Ｓ１２でＹ）、前記Ｓ１に戻るものである。
【００４３】
このように、表示部５ａが消灯状態であった時に沸き増し要求があった場合で、かつ、深夜時間帯である場合は、表示部５ａの消灯状態を継続して沸き増し動作を行うようにしているので、人があまり活動していない時間帯に無駄な表示点灯を行わないようにすることができ、無駄な電力消費を押さえて省エネルギー化を図ることができるものである。
【００４４】
また、貯湯量が少なくなった時に表示部５ａが点灯状態であった場合は、時刻に関係なく表示部５ａに「貯湯量  小」の文字表示を所定時間（ここでは５秒間）行い（Ｓ１３、Ｓ１４）、沸き増し制御手段３１がヒーポン制御部６に沸き増しの開始を指示し（Ｓ１５）、表示部５ａに文字、記号、またはアニメーション等により沸き増しを行っている旨を表示して（Ｓ１６）、使用者に現在沸き増しを行っている旨をわかりやすく知らしめるようにしている。そして、貯湯量検知手段３０が必要な量を沸き増ししたことを検知すると、沸き増し制御手段３１はヒーポン制御部６に沸き増しの停止を指示して沸き増し動作を完了し（Ｓ１７でＹ）、表示部５ａの表示を沸き増し開始前の通常の表示状態に戻して（Ｓ１８）、前記Ｓ１に戻るものである。
【００４５】
このように、表示部５ａが表示状態であった場合は、使用者が表示部５ａを見た時に何が原因で貯湯式温水器が作動しているのかが直ぐにわかるように沸き増しを行っている旨を表示し、沸き増し動作が完了してからも使用者が表示を必要としている可能性があるので、表示部５ａを沸き増し開始前の通常の表示状態に戻すようにしているものである。
【００４６】
以上説明してきたように、沸き増し制御手段３２がヒートポンプユニット１に沸き増し動作をさせる時に、表示部５ａの点灯消灯状態と時計カウンタからの時刻とから沸き増しを行っている旨の表示を前記表示部に表示させるか否かを判断する表示可否判断手段３４を設けたので、点灯消灯の状態と沸き増し動作が行われる時の時間帯に応じて適切な表示を行うことができ、使用者の使い勝手を損なうことなく無駄な表示を行わないようにすることができ、省エネルギー化を図ることができるものである。
【００４７】
なお、本発明はこの一実施形態に限定されるものではなく、発明の要旨を変更しない範囲で様々な変形が可能なものである。例えば、この一実施形態では加熱部としてヒートポンプユニット１を貯湯タンクユニット２とは別体に設けたが、これに限らず、ヒートポンプと貯湯タンク３を同一の筐体内に設けたり、ヒートポンプユニット１ではなく貯湯タンク３内に電熱ヒータを設けたものでも良い。
【００４８】
また、この一実施形態では時計カウンタ３１、表示制御手段３３、表示可否判断手段３４を本体制御部２９内に設けているが、これらをリモコン５内に設けても本体制御部２９とリモコン５の通信の手順が増えるだけで全く同じ作動をさせることができるため、これらの手段を設ける部位は本体制御部２９に限定されるものではない。
【００４９】
また、貯湯量検知手段３０はこの一実施形態に示したものに限られるものではなく、例えば、沸き増しを行った量を記憶しておき給湯流量センサ１５で検出する給湯量から残りの貯湯量を算出するようにして貯湯量を検知するようにしても良い。
【００５０】
また、この一実施形態のように、表示スイッチ５ｅの操作のみで表示部５ａの消灯を行われるのでなく、例えば、給湯流量センサ１５が所定流量以上を検知しない状態が所定時間経過したら表示部５ａを消灯したり、操作部５ｆが一定時間以上操作されなかったら表示部５ａを消灯するようにしても良い。
【００５１】
また、この一実施形態ではリモコン５の表示部５ａは、ドットマトリクス方式の蛍光表示管としていて、表示部５ａの消灯によって全消灯するようになっているが、これに限らず、バックライト付の液晶表示として、消灯によりバックライトのみを消灯するようにしても良く、また、バックライトと液晶表示自体を一緒に消灯するようにしても良いもので、要は表示部５ａの消灯により消費電力を少しでも低減することができればよいもので、消灯状態において一部のＬＥＤ素子等を点灯させておくことを妨げるものではない。
【００５２】
また、この実施形態では沸き増し動作があっても表示消灯状態では表示を行わない特定の時間帯は予め深夜時間帯に定められているが、操作部５ｆのスイッチの特定の組合せ操作によりこの特定の時間帯を変更できるようにしても良いものである。例えば、表示スイッチ５ｅを押圧しながら給湯温度設定スイッチ５ｂを操作することによって任意の時間帯に変更することができるようにすれば、新たに専用の操作スイッチを設けることなく既存の操作スイッチのみで特定の時間帯を変更することができてコストアップを防げると共に、使用者の様々な生活パターンに合致した表示制御を行うことができて使い勝手が向上するものである。
【００５３】
【発明の効果】
以上のように本発明の請求項１によれば、表示部の点灯消灯の状態と沸き増し動作が行われる時の時間帯に応じて適切な表示を行うことができ、使用者の使い勝手を損なうことなく無駄な表示を行わないようにすることができ、省エネルギー化を図ることができる。
【００５４】
また、請求項２によれば、表示の不要な特定の時間帯には沸き増し動作があっても表示しないので、不必要な表示が行われず、省エネルギー化を図ることができる。
【００５５】
また、請求項３によれば、表示が消灯状態にあっても特定の時間帯以外では沸き増し行っている旨を表示するので、沸き増し動作によって貯湯式温水器が作動していることが直ぐにわかると共に、沸き増し動作の完了によって自動的に表示部を消灯状態に戻すので無駄な電力消費を抑えることができ、省エネルギー化を図ることができる。
【００５６】
また、請求項４によれば、使用者が表示を必要としている可能性のある表示部が点灯状態にある場合には、時間帯に関係なく沸き増し動作が開始されると沸き増しを行っている旨を表示し、沸き増し動作の完了に伴い通常の表示状態に戻し、また、表示が消灯状態にあっても特定の時間帯以外では沸き増し行っている旨を表示するので、表示中は沸き増し動作によって貯湯式温水器が作動していることが直ぐにわかると共に、沸き増し動作の完了によって自動的に表示部を消灯状態に戻すので無駄な電力消費を抑えることができ、さらに、使用者が表示を必要としていない表示部が消灯状態にある場合には、深夜等の特定の時間帯には沸き増し動作があってもその旨表示しないので、使い勝手を損なうことなく不必要な表示を行わないようにでき、無駄な電力消費を抑えて省エネルギー化を図ることができる。
【００５７】
また、請求項５によれば、貯湯量が減少して沸き増し動作を行う前に貯湯量が少なくなっている旨を文字表示するようにしたので、消灯状態から突然表示が点灯しても使用者は沸き増し動作を行うために表示が点灯したと直ぐに認識することができる利点がある。
【００５８】
また、請求項６によれば、使用者が表示を必要としていない場合は自らの操作によって確実に表示を消灯することができると共に、表示消灯中であっても特定の時間帯以外は沸き増し動作を行うとその旨表示ができ、使い勝手を損なうことなく省エネルギー化を図ることができる。
【００５９】
また、請求項７によれば、特定の時間帯を容易に変更可能としたので、使用者の生活パターンの実体に合致した表示制御を行うことができて使い勝手が向上する。
【図面の簡単な説明】
【図１】本発明の一実施形態の概略構成図。
【図２】同一実施形態の作動を示すフローチャート。
【符号の説明】
１  ヒートポンプユニット（加熱部）
３  貯湯タンク
５  リモコン
５ａ  表示部
５ｄ  表示スイッチ
５ｆ  操作部
３０  貯湯量検知手段
３１  時計カウンタ
３２  沸き増し制御手段
３３  表示制御手段
３４  表示可否判断手段
【図１】
0003989769.tif 000002
【図２】
0003989769.tif 000003